(57)【要約】【課題】収容物の取り出しが容易な容器を提供する。【解決手段】容器１は、上端に開口部を有し、下端に底１１を有する筒形の容器本体１０と、容器本体１０の内部に挿入され、その内部に収容物Ｇが収容される挿抜体３０とを備える。挿抜体３０は、可撓性シートからなり、筒状に丸めて容器本体１０に挿入されている。挿抜体３０を容器本体１０から抜き取ることで、挿抜体３０とともに収容物Ｇを取り出すことができる。また、挿抜体３０の内径を広げることで、挿抜体３０の下部から収容物Ｇを排出できる。そのため、収容物Ｇの取り出しが容易である。【選択図】図１
2020196547.tif 000002
【特許請求の範囲】
【請求項１】
上端に開口部を有し、下端に底を有する筒形の容器本体と、
前記容器本体の内部に挿入され、その内部に収容物が収容される挿抜体と、を備え、
前記挿抜体は、可撓性シートからなり、筒状に丸めて前記容器本体に挿入されている
ことを特徴とする容器。
【請求項２】
前記挿抜体は抜き取り用の持手を有する
ことを特徴とする請求項１記載の容器。
【請求項３】
前記容器本体の前記開口部を閉塞する蓋を備える
ことを特徴とする請求項１または２記載の容器。
【請求項４】
前記容器本体は、透明な外筒と、外周面に表示が付された内筒とからなる側壁を有する
ことを特徴とする請求項１〜３のいずれかに記載の容器。
【発明の詳細な説明】
【技術分野】
【０００１】
本発明は、容器に関する。さらに詳しくは、本発明は、例えばゴミ容器として用いられる容器に関する。
【背景技術】
【０００２】
特許文献１に開示されているように、内部にゴミ袋を保持するよう構成されたゴミ箱がある。この種のゴミ箱は、ゴミ袋が一杯になった場合、ゴミ袋を取り外して捨てた後、新しいゴミ袋を取り付ける作業が必要である。このようなゴミ袋の取り付け、取り外しの作業は煩雑であり、面倒である。
【先行技術文献】
【特許文献】
【０００３】
【特許文献１】特開２００４−２９９８９８号公報
【発明の概要】
【発明が解決しようとする課題】
【０００４】
本発明は上記事情に鑑み、収容物の取り出しが容易な容器を提供することを目的とする。
【課題を解決するための手段】
【０００５】
第１発明の容器は、上端に開口部を有し、下端に底を有する筒形の容器本体と、前記容器本体の内部に挿入され、その内部に収容物が収容される挿抜体と、を備え、前記挿抜体は、可撓性シートからなり、筒状に丸めて前記容器本体に挿入されていることを特徴とする。
第２発明の容器は、第１発明において、前記挿抜体は抜き取り用の持手を有することを特徴とする。
第３発明の容器は、第１または第２発明において、前記容器本体の前記開口部を閉塞する蓋を備えることを特徴とする。
第４発明の容器は、第１〜第３発明のいずれかにおいて、前記容器本体は、透明な外筒と、外周面に表示が付された内筒とからなる側壁を有することを特徴とする。
【発明の効果】
【０００６】
第１発明によれば、挿抜体を容器本体から抜き取ることで、挿抜体とともに収容物を取り出すことができる。また、挿抜体の内径を広げることで、挿抜体の下部から収容物を排出できる。そのため、収容物の取り出しが容易である。
第２発明によれば、挿抜体の持手を掴んで引き上げることで、挿抜体を容易に抜き取ることができる。
第３発明によれば、容器本体の開口部を閉塞できるので、収容物が意図せずこぼれることがない。
第４発明によれば、容器を表示物としても使用できる。
【図面の簡単な説明】
【０００７】
【図１】一実施形態に係る容器の縦断面図である。
【図２】挿抜体の展開図である。
【図３】容器本体に挿入される挿抜体の斜視図である。
【図４】挿抜体を抜き取る際の縦断面図である。
【図５】挿抜体を搬送する際の側面図である。
【図６】挿抜体から収容物を排出する際の側面図である。
【発明を実施するための形態】
【０００８】
つぎに、本発明の実施形態を図面に基づき説明する。
本発明の一実施形態に係る容器１は、例えばゴミ容器として用いられる。容器１を手で掴める程度の大きさにすれば、携帯用、卓上用のゴミ容器として好適に用いることができる。
【０００９】
（構成）
まず、容器１の構成を説明する。
図１に示すように、容器１は容器本体１０を有する。容器本体１０は上端に開口部を有し、下端に底１１を有する筒形の容器である。容器本体１０の横断面の形状は特に限定されない。容器本体１０は円筒形でもよいし、角筒形でもよい。
【００１０】
容器本体１０の開口部には蓋２０が設けられている。特に限定されないが、蓋２０はネジ嵌合により容器本体１０に取り付けられる。蓋２０を閉めれば容器本体１０の開口部を閉塞できる。蓋２０を開ければ容器本体１０の開口部を開放できる。なお、蓋２０を有さない構成としてもよい。
【００１１】
容器本体１０の側壁１２は外筒１３と内筒１４とからなる。外筒１３は容器本体１０の外装を構成する。外筒１３の上端部には蓋２０に形成された雌ねじと嵌合する雄ねじが形成されている。内筒１４は外筒１３の内側に設けられている。外筒１３と内筒１４とは高さが実質的に同一である。したがって、内筒１４の下端は底１１に達しており、上端は外筒１３の上端に達している。内筒１４は上下全体に渡って横断面の形状、寸法が変化しない単純な筒形である。
【００１２】
外筒１３を透明にしてもよい。この際、内筒１４の外周面に、文字、マーク、図柄、色彩などで構成された表示を付してもよい。外筒１３が透明であるから、内筒１４の外周面に付された表示を視認できる。そのため、容器１を表示物としても使用できる。内筒１４に付す表示を企業のロゴなどにすれば、容器１を広告宣伝媒体として用いることができる。
【００１３】
なお、外筒１３と内筒１４との間に印刷物などを挿入してもよい。また、外筒１３の外周面に表示を付してもよい。このようにしても、容器１を表示物として使用できる。さらに、側壁１２を外筒１３と内筒１４とからなる二重構造とせずに、一重構造としてもよい。
【００１４】
容器本体１０（内筒１４）の内部には挿抜体３０が挿入されている。挿抜体３０の内部に収容物Ｇ（例えば、ゴミ）が直接収容される。
【００１５】
図２に示すように、挿抜体３０は可撓性シートからなる。可撓性シートは、可撓性を有するシートであれば特に限定されないが、樹脂フィルムなどが好適に用いられる。可撓性シートは外力により撓み、外力を除くと平らに戻る性質を有する。
【００１６】
挿抜体３０（可撓性シート）は、広げた状態では矩形であり、上縁３１、下縁３２、および一対の側縁３３、３３を有する。また、挿抜体３０（可撓性シート）は上縁３１から突出したタグ状の持手３４を有する。
【００１７】
図３に示すように、挿抜体３０（可撓性シート）は筒状に丸めて容器本体１０に挿入される。ここで、挿抜体３０（可撓性シート）は、上縁３１および下縁３２に沿って湾曲するよう丸められる。また、挿抜体３０（可撓性シート）は、上縁３１および下縁３２の長さが、容器本体１０（内筒１４）の内周よりも長い。そのため、挿抜体３０（可撓性シート）は側縁３３、３３の近傍が互いに重なっている。丸められた挿抜体３０は上下端が開口した筒形である。挿抜体３０は上縁３１および持手３４を上向きとし、下縁３２から容器本体１０に挿入される。
【００１８】
図１に示すように、挿抜体３０を容器本体１０に挿入した状態では、可撓性シートの弾性力によりその内径が拡大する。そのため、挿抜体３０は容器本体１０（内筒１４）の内面に密着している。挿抜体３０の高さ、すなわち側縁３３の長さは、容器本体１０の内部の高さ（内筒１４の高さ）と同じか、それよりも若干短く設定されている。そのため、挿抜体３０は容器本体１０の内部に収まる。
【００１９】
以上のように、本実施形態の容器１は、複雑な機構を有さず、単純な部材からなる。そのため、容器１は安価なコストで製造できる。
【００２０】
（使用方法）
つぎに、容器１の使用方法を説明する。
図１に示すように、容器本体１０の内部に挿抜体３０が挿入されている。収容物Ｇを収容する際には、蓋２０を開き、容器本体１０の開口部から収容物Ｇを投入する。収容物Ｇは挿抜体３０の内側に直接投入される。
【００２１】
容器本体１０の開口部から指など突っ込んで収容物Ｇを押さえつければ、収容物Ｇを圧縮し、体積を減らすことができる。容器本体１０は収容物Ｇの圧縮に耐えられる程度の剛性を有することが好ましい。また、容器本体１０（内筒１４）の内部空間の横断面は角がない形状が好ましい。例えば、円形、楕円形、角丸の多角形が好ましい。そうすれば、収容物Ｇの圧縮の際に挿抜体３０（可撓性シート）が容器本体１０の内面に押さえつけられても、挿抜体３０（可撓性シート）に折り目が付くことを防止できる。
【００２２】
収容物Ｇの投入後、容器本体１０の開口部を蓋２０で閉塞する。そうすれば、容器１が傾くなどして、収容物Ｇが意図せずこぼれることがない。そのため、携帯用、卓上用のゴミ容器として好適に用いられる。容器本体１０と蓋２０との間の気密性を高めれば、封臭も可能となる。臭いを有するゴミを収容したとしても、その臭いが外に漏れ出ることを抑制できる。
【００２３】
容器本体１０から収容物Ｇを取り出すには以下の操作を行う。
図４に示すように、蓋２０を開き、挿抜体３０の持手３４を指で掴んで引き上げる。そうすると、容器本体１０から挿抜体３０を抜き取ることができる。挿抜体３０に持手３４が設けられていることから、挿抜体３０の抜き取りが容易である。ただし、挿抜体３０は持手３４を有さなくてもよい。
【００２４】
挿抜体３０と収容物Ｇとの間には摩擦力が働く。そのため、挿抜体３０を容器本体１０から抜き取れば、挿抜体３０とともに収容物Ｇを取り出すことができる。なお、挿抜体３０と収容物Ｇとの間に働く摩擦力は、収容物Ｇを圧縮するほど強くなる。
【００２５】
図５に示すように、挿抜体３０を容器本体１０から完全に抜き取った後は、挿抜体３０の全体を手で握る。そうすると、挿抜体３０とともに、その内側の収容物Ｇを掴むことができる。そのため、収容物Ｇを落下させることなく、挿抜体３０を任意の場所まで搬送できる。例えば、挿抜体３０をゴミ箱の上まで搬送する。
【００２６】
図６に示すように、挿抜体３０を掴んだ手の力を緩める。そうすると、挿抜体３０は可撓性シートの弾性力によりその内径が拡大する。このように挿抜体３０の内径を広げることで、挿抜体３０の下部から収容物Ｇを排出できる。例えば、収容物Ｇをゴミ箱に捨てることができる。
【００２７】
以上のように、容器１は、容器本体１０から挿抜体３０を抜き取り、挿抜体３０を掴んだ手の力を緩めるという単純な操作で、収容物Ｇを排出できる。そのため、収容物Ｇの取り出しが容易である。
【００２８】
収容物Ｇを排出した後、挿抜体３０は再び容器本体１０に挿入される。この操作も単純なものであり、容易に行うことができる。
【００２９】
本実施形態の容器１はゴミ容器、特に携帯用、卓上用のゴミ容器として用いることができる。ただし、容器１の用途はゴミ容器に限定されない。また、容器１の大きさも限定されない。容器１を工業プラントなどで用いられる大型タンクとして用いてもよい。この場合、挿抜体３０の抜き取り、把持を、人間の手に代えて、他の装置で行ってもよい。
【符号の説明】
【００３０】
１    容器
１０  容器本体
１２  側壁
１３  外筒
１４  内筒
２０  蓋
３０  挿抜体
３４  持手
【図１】
2020196547.tif 000003
【図２】
2020196547.tif 000004
【図３】
2020196547.tif 000005
【図４】
2020196547.tif 000006
【図５】
2020196547.tif 000007
【図６】
2020196547.tif 000008
【手続補正書】
【提出日】令和2年9月4日(2020.9.4)
【手続補正１】
【補正対象書類名】特許請求の範囲
【補正対象項目名】全文
【補正方法】変更
【補正の内容】
【特許請求の範囲】
【請求項１】
上端に開口部を有し、下端に底を有する筒形の容器本体と、
袋を保持することなく前記容器本体の内部に挿入され、その内部に収容物が収容される挿抜体と、を備え、
前記挿抜体は、可撓性シートからなり、筒状に丸めて前記容器本体に挿入されている
ことを特徴とする容器。
【請求項２】
前記挿抜体は抜き取り用の持手を有する
ことを特徴とする請求項１記載の容器。
【請求項３】
前記容器本体の前記開口部を閉塞する蓋を備える
ことを特徴とする請求項１または２記載の容器。
【請求項４】
前記容器本体は、透明な外筒と、外周面に表示が付された内筒とからなる側壁を有する
ことを特徴とする請求項１〜３のいずれかに記載の容器。
【手続補正２】
【補正対象書類名】明細書
【補正対象項目名】０００５
【補正方法】変更
【補正の内容】
【０００５】
第１発明の容器は、上端に開口部を有し、下端に底を有する筒形の容器本体と、袋を保持することなく前記容器本体の内部に挿入され、その内部に収容物が収容される挿抜体と、を備え、前記挿抜体は、可撓性シートからなり、筒状に丸めて前記容器本体に挿入されていることを特徴とする。
第２発明の容器は、第１発明において、前記挿抜体は抜き取り用の持手を有することを特徴とする。
第３発明の容器は、第１または第２発明において、前記容器本体の前記開口部を閉塞する蓋を備えることを特徴とする。
第４発明の容器は、第１〜第３発明のいずれかにおいて、前記容器本体は、透明な外筒と、外周面に表示が付された内筒とからなる側壁を有することを特徴とする。